(57)【要約】【課題】上吹き型及び横吹き型の室外機に関して製造コストを低減することが目的とされる。【解決手段】室外機１は、空気調和機に用いられる室外機であって、筐体１１と、第１及び第２のパネル１２１，１２２と、固定部１３と、ファン１４とを備える。筐体１１は、上に開口している上開口部１１１と、横に開口している横開口部１１２とが設けられている。第１のパネル１２１は、上開口部及び横開口部のいずれにも取付け可能なパネルであって、上開口部及び横開口部の一方に取り付けて、その一方を塞ぐ。第２のパネル１２２は、上開口部及び横開口部のいずれにも取付け可能で、かつ吹出し口１２２１が設けられたパネルであって、上開口部及び横開口部の他方に取り付けられる。固定部１３は、筐体１１内で固定されている。ファン１４は、筐体１１内の位置で、吹出し口１２２１に向かって風が送れるように固定部１３に固定することができる。【選択図】図１
2010065923.tif 000002
【特許請求の範囲】
【請求項１】
空気調和機に用いられる室外機（１）であって、
上に開口している上開口部（１１１）と、横に開口している横開口部（１１２）とが設けられた筐体（１１）と、
前記上開口部及び前記横開口部のいずれにも取付け可能なパネルであって、前記上開口部及び前記横開口部の一方に取り付けて、前記一方を塞ぐ第１のパネル（１２１）と、
前記上開口部及び前記横開口部のいずれにも取付け可能で、かつ吹出し口（１２２１）が設けられたパネルであって、前記上開口部及び前記横開口部の他方に取り付けられる第２のパネル（１２２）と、
前記筐体内で固定された固定部（１３）と、
前記筐体内の位置で、前記吹出し口に向かって風が送れるように前記固定部に固定可能なファン（１４）と
を備える、室外機。
【請求項２】
前記固定部（１３）は、
前記ファン（１４）を上向きに取り付けることができる第１の固定部材（１３１）と、
前記ファン（１４）を横向きに取り付けることができる第２の固定部材（１３２）と
をＬ字状に連結して有する、
請求項１記載の室外機。
【請求項３】
前記第１のパネル（１２１）と前記第２のパネル（１２２）とは、外縁の形状が略同一である、請求項１または請求項２記載の室外機。
【請求項４】
前記第１のパネル（１２１）と前記第２のパネル（１２２）とは一体である、請求項１乃至請求項３のいずれか一つに記載の室外機。
【請求項５】
前記筐体（１１）内で固定され、上から見てコの字状の形状を有する熱交換器（１６）をさらに備えている、請求項１乃至請求項４のいずれか一つに記載の室外機。
【発明の詳細な説明】
【技術分野】
【０００１】
本発明は室外機に関し、特に空気調和機に用いるものに関する。
【背景技術】
【０００２】
従来から空気調和機に用いられる室外機には、上吹き型のものと、横吹き型のものとがある。上吹き型の室外機は、例えばビルの屋上に設置する室外機に採用されることが多い。
【０００３】
これらの上吹き型の室外機と横吹き型の室外機とは、互いに構造が異なるため、それぞれ別個の部品を用いて製造されている。
【０００４】
なお、本発明に関連する特許文献を以下に示す。
【特許文献１】特開２００２−５４７６号公報
【特許文献２】特開２００３−２４０２７６号公報
【発明の開示】
【発明が解決しようとする課題】
【０００５】
しかし、上吹き型と横吹き型とで部品を別個に用意すると、コストが増大する。しかも、上吹き型と横吹き型とで需要に差がある場合には、需要の少ない方については、コストの増大が著しい。
【０００６】
本発明は上述した事情に鑑みてなされたものであり、上吹き型及び横吹き型の室外機に関して製造コストを低減することが目的とされる。
【課題を解決するための手段】
【０００７】
第１の発明にかかる室外機は、空気調和機に用いられる室外機であって、筐体と、第１及び第２のパネルと、固定部と、ファンとを備える。筐体は、上に開口している上開口部と、横に開口している横開口部とが設けられている。第１のパネルは、上開口部及び横開口部のいずれにも取付け可能なパネルであって、上開口部及び横開口部の一方に取り付けて、その一方を塞ぐ。第２のパネルは、上開口部及び横開口部のいずれにも取付け可能で、かつ吹出し口が設けられたパネルであって、上開口部及び横開口部の他方に取り付けられる。固定部は、筐体内で固定されている。ファンは、筐体内の位置で、吹出し口に向かって風が送れるように固定部に固定することができる。
【０００８】
第２の発明にかかる室外機は、第１の発明にかかる室外機であって、固定部は、ファンを上向きに取り付けることができる第１の固定部材と、ファンを横向きに取り付けることができる第２の固定部材とをＬ字状に連結して有する。
【０００９】
第３の発明にかかる室外機は、第１または第２の発明にかかる室外機であって、第１のパネルと第２のパネルとは、外縁の形状が略同一である。
【００１０】
第４の発明にかかる室外機は、第１乃至第３の発明のいずれか一つにかかる室外機であって、第１のパネルと第２のパネルとは一体である。
【００１１】
第５の発明にかかる室外機は、第１乃至第４の発明のいずれか一つにかかる室外機であって、筐体内で固定され、上から見てコの字状の形状を有する熱交換器をさらに備えている。
【発明の効果】
【００１２】
第１の発明にかかる室外機によれば、横開口部に第１のパネルを取り付け、上開口部に第２のパネルを取り付けて、かつファンを吹出し口に向けて固定部に上向きに取り付けることで、上吹き型の室外機を得ることができる。他方、横開口部に第２のパネルを取り付け、上開口部に第１のパネルを取り付けて、かつファンを吹出し口に向けて固定部に横向きに取り付けることで、横吹き型の室外機を得ることができる。
【００１３】
よって、上吹き型及び横吹き型の室外機の製造において、部品を共通化することができ、以って製造コストを低減することができる。
【００１４】
第２の発明にかかる室外機によれば、同じ固定部を用いて、上吹き型の室外機ではファンを第１の固定部材に固定し、横吹き型の室外機ではファンを第２の固定部材に固定することができる。よって、上吹き型及び横吹き型の室外機の製造において、固定部を共通化することができ、以って製造コストを低減することができる。
【００１５】
第３の発明にかかる室外機によれば、第１のパネルと第２のパネルとで外縁の形状を略同一にすることで、部品の共通化が容易になる。
【００１６】
第４の発明にかかる室外機によれば、第１及び第２のパネルの製造が簡略化される。しかも、一体の第１及び第２のパネルの取付けの向きを変えるだけで、上吹き型及び横吹き型の室外機を得ることができる。
【００１７】
第５の発明にかかる室外機によれば、上吹き型及び横吹き型の室外機の製造において、上から見てコの字状の形状を有する熱交換器を共通化することができ、以って製造コストを低減することができる。
【発明を実施するための最良の形態】
【００１８】
図１及び図２は、本発明の実施の形態にかかる室外機１について、二つある態様のそれぞれを概念的に示した図である。なお以下では、図１及び図２に示される矢印９０について、矢印９０の先側を「上」側、それとは反対側を「下」側という。
【００１９】
二つある態様のいずれにおいても室外機１は、本体１００と蓋１２とを備え、空気調和機に用いられる。本体１００は、筐体１１、固定部１３、ファン１４、圧縮機１５、及び熱交換器１６で構成されている。
【００２０】
筐体１１は、四つの面部材１１ａ〜１１ｄを有する。筐体１１の外観は直方体であり、その直方体を構成する六つの面のうち、四つの面を面部材１１ａ〜１１ｄが構成する。具体的には、面部材１１ａは直方体の下面を構成し、面部材１１ｂ〜１１ｄは直方体の四つある側面のうち三つの側面を構成する。
【００２１】
換言すれば、筐体１１は、上面と、四つある側面の一つとが開口している。よって以下では、上に開口した上面を上開口部１１１、横に開口した側面を横開口部１１２と称す。
【００２２】
蓋１２は、第１及び第２のパネル１２１，１２２で構成されており、筐体１１に取り付けられる。
【００２３】
具体的に第１のパネル１２１は、上開口部１１１及び横開口部１１２のいずれにも取付け可能なパネルであって、上開口部１１１及び横開口部１１２の一方に取り付けられる。これにより、第１のパネル１２１は、上開口部１１１及び横開口部１１２の一方を塞ぐ。
【００２４】
第２のパネル１２２は、上開口部１１１及び横開口部１１２のいずれにも取付け可能で、かつ吹出し口１２２１が設けられたパネルであって、上開口部１１１及び横開口部１１２のうち、第１のパネルが取り付けられるのとは異なる方（他方）に取り付けられる。
【００２５】
具体的に図１では、第１のパネル１２１は横開口部１１２に取り付けられ、第２のパネル１２２は上開口部１１１に取り付けられる。図２では、第１のパネル１２１は上開口部１１１に取り付けられ、第２のパネル１２２は横開口部１１２に取り付けられる。
【００２６】
図１及び図２では、第１及び第２のパネル１２１，１２２のそれぞれの外縁の形状は略同一である。これにより、第１のパネル１２１を取り付けていたところに、第１のパネル１２１に代えて第２のパネル１２２を取り付けることができる。同様に、第２のパネル１２２を取り付けていたところに、第２のパネル１２２に代えて第１のパネル１２１を取り付けることができる。
【００２７】
図１及び図２では、第１及び第２のパネル１２１，１２２は、Ｌ字状に連結されており、かつ一体化されている。よって、蓋１２の筐体１１への取付けの向きを変えるだけで、第１及び第２のパネル１２１，１２２の一方を上開口部１１１に、他方を横開口部１１２に取り付けることができ、以って第１及び第２のパネル１２１，１２２の取付けの煩雑さが低減される。
【００２８】
固定部１３は、筐体１１内に固定されている。具体的に図３及び図４を用いて説明する。図３は、図１に示される室外機１の本体１００を示した図である。図４は、図２に示される室外機１の本体１００を示した図である。図３及び図４のいずれにおいても、後述すファン１４のプロペラ部分１４１は取り除かれている。
【００２９】
固定部１３は、梯子形状を呈する第１及び第２の固定部材１３１，１３２を有する。第１の固定部材１３１は、端１３１ａが面部材１１ｃに固定されており、筐体１１内を横開口部１１２に向かって延びている。第２の固定部材１３２は、端１３２ａが面部材１１ａに固定されており、筐体１１内を上開口部１１１に向かって延びている。
【００３０】
そして、第１の固定部材１３１の端１３１ａとは反対側の端１３１ｂと、第２の固定部材１３２の端１３２ａとは反対側の端１３２ｂとは互いに連結されている。これにより、連結された第１及び第２の固定部材１３１，１３２は、Ｌ字状を呈する。
【００３１】
ファン１４は、筐体１１内の位置で、吹出し口１２２１に向かって風が送れるように固定部１３に固定することができる。具体的にはファン１４は、固定部１３に上向き（図１）にも横向き（図２）にも取付け可能である。
【００３２】
より具体的には、ファン１４はプロペラ部分１４１及び駆動部１４２を有する。ファン１４を上向きで固定部１３に取り付ける場合（図１）は、図３に示されるように、駆動部１４２は第１の固定部材１３１に取り付けられる。他方、ファン１４を横向きで固定部１３に取り付ける場合（図２）は、図４に示されるように、ファン１４は第２の固定部材１３２に取り付けられる。
【００３３】
圧縮機１５は、筐体１１内に配置されている。熱交換器１６は、筐体１１内に固定され、面部材１１ｂ〜１１ｄに沿って、上から見てコの字状に配置されている。
【００３４】
上述した室外機１によれば、同じ部品を用いて、上吹き型及び横吹き型の室外機１のいずれをも製造することができる。つまり、上吹き型の室外機１を製造する場合（図１及び図３）は、第１のパネル１２１が横開口部１１２に、第２のパネル１２２が上開口部１１１にそれぞれ配置されるように、蓋１２を筐体１１に取り付ける。そして、ファン１４を吹出し口１２２１に向けて上向きにして、固定部１３の第１の固定部材１３１に取り付ける。
【００３５】
他方、横吹き型の室外機１を製造する場合（図２及び図４）は、第１のパネル１２１が上開口部１１１に、第２のパネル１２２が横開口部１１２にそれぞれ配置されるように、蓋１２を筐体１１に取り付ける。そして、ファン１４を吹出し口１２２１に向けて横向きにして、固定部１３の第２の固定部材１３２に取り付ける。
【００３６】
よって、上吹き型及び横吹き型の室外機の製造において、筐体１１や蓋１２、固定部１３、ファン１４、熱交換器１６などの部品を共通化することができ、以って製造コストを低減することができる。
【００３７】
しかも、上述した室外機１では、第１及び第２のパネル１２１，１２２を一体化した蓋１２を用いているので、第１及び第２のパネル１２１，１２２の製造が簡略化される。つまり、第１及び第２のパネル１２１，１２２の製造に、一体成形などの簡単な方法を用いることができる。
【図面の簡単な説明】
【００３８】
【図１】本発明の実施の形態にかかる室外機の一の態様を概念的に示した図である。
【図２】本発明の実施の形態にかかる室外機の一の態様を概念的に示した図である。
【図３】図１に示される室外機の本体を示した図である。
【図４】図２に示される室外機の本体を示した図である。
【符号の説明】
【００３９】
１  室外機
１１  筐体
１３  固定部
１４  ファン
１６  熱交換器
１１１  上開口部
１１２  横開口部
１２１，１２２  第１及び第２のパネル
１３１，１３２  第１及び第２の固定部材
１２２１  吹出し口
【図１】
2010065923.tif 000003
【図２】
2010065923.tif 000004
【図３】
2010065923.tif 000005
【図４】
2010065923.tif 000006